(57)【要約】      （修正有）【課題】ブラッシングをしながら、養毛剤やトリートメント剤等を霧状にして頭皮や髪の毛に吹きかけ、頭皮や毛根を効率よく刺激し血行の促進等をすることができる薬用ミストヘアブラシを提供する。【解決手段】ハウジング１内部に薬液容器セットスペース１８、導液ノズル３およびミスト発生用発振器４を設ける。薬液容器セットスペースに配置された薬液容器より、導液ノズルを介して薬液をミスト発生用発振器に供給し、発生した薬液ミストをハウジングに設けられたミスト孔７より放出する。ハウジング内部に固定されたモーター９の回転軸に固定された偏芯ウエイト１０を回転させて薬用ミストヘアブラシ全体に振動を付与する。【選択図】図１
0003174693.tif 000002
【実用新案登録請求の範囲】
【請求項１】
薬液容器セットスペースに配置された薬液容器より、導液ノズルを介して薬液をミスト発生用発振器に供給し、発生した薬液ミストをハウジングに設けられたミスト孔より放出するように構成したことを特徴とする薬用ミストヘアブラシ。
【請求項２】
所定の薬液を収納する薬液容器を任意に選択し、ハウジング内部に形成された薬液容器セットスペースに着脱自在に収納できるように構成したことを特徴とする請求項１記載の薬用ミストヘアブラシ。
【請求項３】
ハウジング内部に固定されたモーターの回転軸に固定された偏芯ウエイトを回転させて薬用ミストヘアブラシ全体に振動を付与するように構成したことを特徴とする請求項１記載の薬用ミストヘアブラシ。
【考案の詳細な説明】
【技術分野】
【０００１】  本考案は薬用ミストヘアブラシに関し、特に養毛剤やトリートメント等の薬液を収納した薬液容器より、導液ノズルを介して薬液をミスト発生用発振器に供給し、発生した薬液ミストをハウジングに設けられたミスト孔より放出するように構成した薬用ミストヘアブラシに関する。
【背景技術】
【０００２】  従来、種々の機能付ヘアブラシが開発されており、例えば、特開２００４−８６６９号公報や登録実用新案第３０４３７０２号公報等がある。
【先行技術文献】
【０００３】
【特許文献１】  特開２００４−８６６９号公報
【特許文献２】  特開平１０−２７７１２５号公報
【考案の概要】
【考案が解決しようとする課題】
【０００４】上述した特開２００４−８６６９号公報『ヘアブラシ』は、ブラシ本体の背面部からブラシ部材の正面側に向かって通気可能に構成し、ブラシ部材の少なくともその基板を、マイナスイオンを発生する材料によって形成し、ヘヤードラヤーからの送風がブラシ部材の基板に設けた通気孔を通過するように構成したものである。【０００５】また、上述した特開平１０−２７７１２５号公報は、美容器具を取付けた美容台に使用料を投入して使用者が任意の美容器具を利用することのできる美容装置であるが、化粧水等を噴霧する機能を有するものであった。【０００６】  前者の特開２００４−８６６９号公報「ヘアブラシ」の場合ではマイナスイオンによる効用を主張したものであるが、ヘヤードライヤーの温熱風を併用して使用するものであり頭髪に吹きつけられる温熱風により頭皮や髪に悪影響を及ぼすことがあった。【０００７】  また、後者の特開平１０−２７７１２５号公報「美・理容装置」は、装置が大掛かりであり、噴霧ノズル管が固定されたものであるので使い勝手も悪く、使用者が一般家庭で容易に使用できるものではなかった。【０００８】  これに対し本考案の課題は、ブラッシングをしながら、より効果的な養毛剤やトリートメント剤等を霧状にして頭皮や髪の毛に吹きかけ、頭皮や髪の毛にまんべんなく薬用ミストが行きわたり、頭皮や毛根を効率よく刺激し血行の促進等をすることができる薬用ミストヘアブラシを提供することである。
【課題を解決するための手段】
【０００９】  本考案の薬用ミストヘアブラシは、薬液容器セットスペースに配置された薬液容器より導液ノズルを介して薬液をミスト発生用発振器に供給し、発生した薬液ミストをハウジングに設けられたミスト孔より放出するように構成したことを特徴とし、所定の薬液を収納する薬液容器を任意に選択し、ハウジング内部に形成された薬液容器セットスペースに着脱自在に収納できるように構成したことを特徴とし、且つ、ハウジング内部に固定されたモーターの回転軸に固定された偏芯ウエイトを回転させて薬用ミストヘアブラシ全体に振動を付与するように構成した薬用ミストヘアブラシを提供するものである。
【考案の効果】
【００１０】  本考案の薬用ミストヘアブラシは、ブラッシングをしながら、より効果的な養毛剤やトリートメント剤等を霧状にして頭皮や髪の毛に吹きかけ、頭皮や髪の毛にまんべんなく薬用ミストを行きわたらせて、頭皮や毛根を効率よく刺激し血行の促進等をすることができると共に、ハウジング内部に固定されたモーターの回転軸に固定された偏芯ウエイトを回転させて薬用ミストヘアブラシ全体に振動を付与するように構成されているので、バイブレーションマッサージやバイブレーションブラッシングが容易にできるものである。【００１１】  また、本考案の薬用ミストヘアブラシは、使用者の用途に応じた薬液を収納した薬液容器を任意に選択して薬液容器セットスペースに着脱できるので、使用目的に対応して使用できるものである。
【図面の簡単な説明】
【００１２】
【図１】本考案の薬用ミストヘアブラシの部分断面を含む側面図である。
【考案を実施するための形態】
【００１３】  以下、図面に示す実施例に基づき、本考案の具体的な構成を説明する。
【００１４】  ハウジング１には薬液容器セットスペース１８に設けられており、該薬液容器セットスペース１８はヒンジ１７を介して開閉自在のカバー１１が設けられている。
【００１５】  養毛剤やトリートメント剤等を収容した薬液容器２を使用に応じて選択し、薬液容器セットスペース１８内にセットすると、配置された薬液容器２より、導液ノズル３を介して薬液がミスト発生用発振器４に供給され、薬液ミストが発生する。
【００１６】  発生した薬液ミストはミスト室６を経てミスト孔７より放出される。
【００１７】  ミスト孔７はブリスル（ｂｒｉｓｔｌｅ）の間のハウジング１に設けられている。
【００１８】  ハウジング１の内部に固定されたモーター９の回転軸に固定された偏芯ウエイト１０を回転させて薬用ミストヘアブラシ全体に振動を付与することができるので、バイブレーションマッサージやバイブレーションブラッシングが容易にできるものであり、例えばバイブレーションの効果によりもつれた髪もほぐし易く、梳かしやすくすることができる。
【００１９】  また、使用者の使用目的に応じて、養毛剤、トリートメント剤、ヘアトニック、リンス等を収納した薬液容器２を任意に薬液容器セットスペース１８内にセットして使用することができる。
【００２０】  把手部１２内にはバッテリー１３が収納され、ミスト発生用発振器４、モーター９等への電源を供給している。
【００２１】  把手部１２には、それぞれミスト用スイッチ１４及びバイブレーション用スイッチ１５が設けられている。
【００２２】  本考案の薬液ミストヘアブラシは有線式でもコードレス式でも製造可能であり、カセット式電池パックを把手部１２に着脱できるようにしてもよい。
【符号の説明】
【００２３】  １  ハウジング
２  薬液容器
３  導液ノズル
４  ミスト発生用発振器
５  プリスル（ｂｒｉｓｔｌｅ）
６  ミスト室
７  ミスト孔
９  モーター
１０  偏芯ウエイト
１１  カバー
１２  把手部
１３  バッテリー
１４  ミスト用スイッチ
１５  バイブレーション用スイッチ
１７  ヒンジ
１８  薬液容器セットスペース
【図１】
0003174693.tif 000003
【手続補正書】
【提出日】平成23年12月21日(2011.12.21)
【手続補正１】
【補正対象書類名】実用新案登録請求の範囲
【補正対象項目名】全文
【補正方法】変更
【補正の内容】
【実用新案登録請求の範囲】
【請求項１】
ハウジング内部に薬液容器セットスペース、導液ノズルおよびミスト発生用発振器を設け、該薬液容器セットスペースに配置された薬液容器より、導液ノズルを介して薬液をミスト発生用発振器に供給し、発生した薬液ミストをハウジングに設けられたミスト孔より放出するように構成したことを特徴とする薬用ミストヘアブラシ。
【請求項２】
所定の薬液を収納する薬液容器を任意に選択し、ハウジング内部に形成された薬液容器セットスペースに着脱自在に収納できるように構成したことを特徴とする請求項１記載の薬用ミストヘアブラシ。
【請求項３】
ハウジング内部に固定されたモーターの回転軸に固定された偏芯ウエイトを回転させて薬用ミストヘアブラシ全体に振動を付与するように構成したことを特徴とする請求項１記載の薬用ミストヘアブラシ。